(57)【要約】【課題】  中空部材の中空内にタッピングホールが形成されていなくても、中空部材の端部に塞ぎ材を取付けることができる建築部材及び建材を提供する。【解決手段】  本発明に係る建築部材２５は、中空部材３１と、ネジ受け部材３３と、塞ぎ材３５とを備え、ネジ受け部材３３は、タッピングホール６７を有し、中空部材３１の中空内に取付けてあり、塞ぎ材３５は、中空部材３１の端部に配置してあり、ネジ受け部材３３のタッピングホール６７にネジ止めしてある。【選択図】図１
2019019497.tif 000002
【特許請求の範囲】
【請求項１】
中空部材と、ネジ受け部材と、塞ぎ材とを備え、ネジ受け部材は、タッピングホールを有し、中空部材の中空内に取付けてあり、塞ぎ材は、中空部材の端部に配置してあり、ネジ受け部材のタッピングホールにネジ止めしてあることを特徴とする建築部材。
【請求項２】
請求項１に記載の建築部材を用いたことを特徴とする建材。
【発明の詳細な説明】
【技術分野】
【０００１】
本発明は、建築部材及び建材に関する。
【背景技術】
【０００２】
一般に、図８に示すように、建築部材１００では、中空部材１０１の中空内に連結材１０２を設けて、連結して用いる場合がある。尚、図８においてハッチングで示すのは、シール材１０３である。
【発明の概要】
【発明が解決しようとする課題】
【０００３】
しかし、中空部材１０１内に連結材１０２を設ける場合、タッピングホールがあると邪魔になるので中空部材１０１内にタッピングホールを形成することができず、中空部材１０１の端部に端部キャップ（塞ぎ材）を取付けできないという問題があった。
【０００４】
そこで本発明は、中空部材の中空内にタッピングホールが形成されていなくても、中空部材の端部に塞ぎ材を取付けることができる建築部材及び建材の提供を目的とする。
【課題を解決するための手段】
【０００５】
請求項１に記載の発明は、中空部材と、ネジ受け部材と、塞ぎ材とを備え、ネジ受け部材は、タッピングホールを有し、中空部材の中空内に取付けてあり、塞ぎ材は、中空部材の端部に配置してあり、ネジ受け部材のタッピングホールにネジ止めしてあることを特徴とする建築部材である。
請求項２に記載の発明は、請求項１に記載の建築部材を用いたことを特徴とする建材である。
尚、本明細書において、建材とは、建築物を構成する部分、建築物の周囲又は建築物に付随した組立品であり、例えば、サッシ、ドア、手摺、フェンス、テラスやカーポート等である。
【発明の効果】
【０００６】
請求項１及び２に記載の発明によれば、タッピングホールを有するネジ受け部材を、中空部材内に取付けているので、中空部材内にタッピングホールを形成していなくても、中空部材の端部に塞ぎ材をネジ止めできる。
【図面の簡単な説明】
【０００７】
【図１】本発明の実施の形態に係る建築部材を用いた連窓サッシ（建材）であって、図７に示すＡ−Ａ断面図である。
【図２】本発明の実施の形態に係る連窓サッシであって、図１に示すＢ部の拡大図である。
【図３】本発明の実施の形態に係る連窓サッシであって、一方のサッシの引き違い障子を片側に寄せた状態の縦断面図である。
【図４】本発明の実施の形態に係る連窓サッシであって、図７に示すＣ−Ｃ断面図である。
【図５】本発明の実施の形態に係る連窓サッシであって、図７に示すＤ−Ｄ断面図である。
【図６】本発明の実施の形態に係る連窓サッシであって、図７に示すＥ−Ｅ断面図である。
【図７】本発明の実施の形態に係る連窓サッシであって、各サッシの引き違い障子を閉じた状態を室外側から見た正面図である。
【図８】従来の中空部材を連結した状態を示す正面図である。
【発明を実施するための形態】
【０００８】
以下に、図１〜図７を参照して本発明の実施の形態を説明する。
図７に示すように、本実施の形態に係る建材１は連窓サッシであり、左側のサッシ３ａと、右側のサッシ３ｂと、左右のサッシ３ａ、３ｂ間に設けた方立５とを備えている。左右のサッシ３ａ、３ｂは、同様の構成であるから以下の説明では、同一の作用効果を奏する場合には同一の符号を付して、左側のサッシ３ａのみについて説明する。サッシ３ａは、枠７と、引き違い障子９、９とを備えた引き違いサッシである。
枠７は、上枠（横枠）１１と、下枠（横枠）１３と、左縦枠１５とで枠組みしてある。図３、図４及び図６に示すように、上枠１１には上アンカー１７が上枠１１の長手方向の所定位置に、下枠１３には下アンカー１９が下枠１３の長手方向の所定位置に、縦枠１５には縦アンカー２１が縦枠１５の長手方向の所定位置に取付けてある。上アンカー１７、下アンカー１９、縦アンカー２１は、各々躯体２３に固定されている。
上枠１１には、上アンカー１７を介して、雨切（建築部材）２５が取付けてあり、縦枠１５には、縦アンカー２１を介して見切２７が取付けてあり、下枠１３には水切２９が取付けてある。各アンカー１７、１９、２１は対応する枠の長手方向に間隔をあけて複数配置されている。
図５に示すように、方立５は、左側のサッシ３ａの右縦枠１５と、右側のサッシ３ｂの左縦枠１５とを保持し、連結している。
【０００９】
図７に示すように、左側のサッシ３ａの雨切２５と右側のサッシ３ｂの雨切２５とは、互いに対向する端面を向い合せて配置してある。図１に示すように、雨切２５は、雨切本体（中空部材）３１と、ネジ受け部材３３と、端部キャップ（塞ぎ材）３５とを備える。
【００１０】
図１に示すように、雨切本体３１には、中空部３７と、フィン３９とが一体に形成されている。図２に示すように、中空部３７の室外側（一側）壁の内面には、上下に間隔をあけて長手方向に沿った平行な２つの突条４１、４１が形成されており、中空部３７の室外側壁の内面の下コーナー部には、肉盛部４３が形成されている。
図７に示すように、左側のサッシ３ａの雨切２５と右側のサッシ３ｂの雨切２５とが互いに対向する端部には、各中空内に樹脂製の連結材４５が中空内面に密着するように充填されている。さらに対向する雨切の端部間にはハッチングで示すシール材４７が充填してある。
図１に示すように、フィン３９は、上アンカー１７の室外側突設部１７ａにネジ４９で固定された下地材５１に、ネジ５３で固定されている。
【００１１】
図７に示すように、ネジ受け部材３３は、短尺のアルミ押出形材であり、雨切２５において、左側サッシ３ａの左側端部の中空内に配置されている。図１及び図２に示すように、ネジ受け部材３３は、載置部５５と、載置部５５の室内側（他側）端から上方へ垂直に延出する把持部５７と、把持部５７の上端側から室外側へ、載置部５５と平行に延出する転倒防止部５９とを有し、載置部５５と把持部５７と転倒防止部５９とで、室外側に開口する略コの字状に形成されている。載置部５５には、下方に突設する脚部６３が間隔をあけて複数形成されている。また、載置部５５には、室外側端から上方へ、開口６１を狭めるように立ち上がり部６５が形成されている。立ち上がり部６５は、中空部３７の内面に形成された突条４１、４１と、肉盛部４３とに当接している。把持部５７には、室内側面にタッピングホール６７が形成されている。
ネジ受け部材３３は、下側から止めるネジ６９で雨切本体３１に固定されている。
【００１２】
図７に示すように、端部キャップ３５は、雨切本体３１の連結部と反対側の端部に設けてあり、雨切本体３１の小口に一致した形状にしてある。端部キャップ３５は、雨切本体３１の小口に、ネジ受け部材３３のタッピングホール６７と、雨切本体３１に形成してあるタッピングホール７１とに各々ネジ７３で固定されている。
【００１３】
図４及び図６に示すように、見切２７は、中空部７５と、中空部７５に一体に形成されたフィン７７とを有している。中空部７５は、フィン７７の内周側で室外側に突出している。フィン７７は、下地材８１に、ネジ８３で固定されている。尚、下地材８１は、縦アンカー２１の室外側突設部２１ａにネジ７９で固定されている。
図３に示すように、水切２９は、下枠１３の室外側突設部１３ａにネジ８５で固定されている。
【００１４】
次に、実施の形態に係る雨切（建築部材）を用いた連窓サッシ（建材）の施工について説明する。
左右の枠７、７は、上枠１１、１１、下枠１３、１３及び各縦枠１５を工場で枠組みしてあり、上アンカー１７、下アンカー１９及び縦アンカー２１も対応する枠に工場で取付けて、施工現場に搬入されている。
施工現場では、各アンカー１７、１９、２１を躯体２３に取付けて、左右の枠７、７を躯体２３の開口部に固定する。左側のサッシ３ａの右側の縦枠１５と、右側のサッシ３ｂの左側の縦枠１５とは、方立５に取付ける。
【００１５】
一方、図７に示すように、各雨切２５には、互いに対向する端面の反対側端部の中空内にネジ受け部材３３を配置する。図２に示すように、雨切本体３１の中空内へのネジ受け部材３３の配置は、ネジ受け部材３３の把持部５７を持ち、載置部５５を下側にして、立ち上がり部６５を雨切本体３１の内面にある突条４１、４１及び肉盛部４３に当接させ、雨切本体３１の中空内に配置し、雨切本体３１の下側からネジ６９で固定する。
その後、端部キャップ３５を、ネジ受け部材３３を取付けた雨切本体３１の端部に、ネジ受け部材３３のタッピングホール６７と、雨切本体３１のタッピングホール７１にネジ７３を螺合させて固定する。
端部キャップ３５を取付けた各雨切２５には、端部キャップ３５と反対側端部の中空内に連結材４５を充填する。
端部キャップ３５及び連結材４５を取付けた各雨切本体３１を、左右の枠７、７の上アンカー１７に固定した下地材５１にネジ５３で固定する。
このようにして、左側のサッシ３ａ及び右側のサッシ３ｂを施工した後、左右の雨切２５、２５間では、対向する端部間で突き合せた連結材４５、４５を覆うようにシール材４７を充填する。
【００１６】
図４及び図６に示すように、見切２７は、フィン７７を下地材８１にネジ８３で取り付ける。図３に示すように、水切２９は下枠１３の室外側突設部１３ａにネジ８５で取り付ける。
また、図１に示すように、上枠１１の室外側面と雨切２５の雨切本体３１の室内側面との間の溝にシール材８７を充填する。
その後、障子９、９を嵌め入れる。
【００１７】
実施の形態の作用効果について説明する。
図１及び図７に示すように、タッピングホール６７を有するネジ受け部材３３を、雨切本体３１内に取付けているので、雨切本体３１内にタッピングホールを形成していなくても、雨切本体３１の端部に端部キャップ３５をネジ止めできる。
【００１８】
ネジ受け部材３３は、略コの字状であって、室外側に開口６１を有するので、中空部３７の室外側面から中空内にビスを打ってある場合でも、ビスと干渉せずに、ネジ受け部材３３を取付けることができる。
雨切本体３１は、室外側壁の内面に長手方向に平行な２つの突条４１、４１を有し、ネジ受け部材３３は２つの突条４１、４１に当接することで位置決めしているので、ネジ受け部材３３を雨切本体３１の中空内に位置決めしやすい。
雨切本体３１は、室内側壁の下コーナー部に肉盛部４３を有しているので、ネジ受け部材３３の室外側の脚部６３が下コーナー部に入り込んで、ネジ受け部材３３が傾くことを防止できる。このように、ネジ受け部材３３の傾きを防止することにより、ネジ受け部材３３の位置ずれを防止でき、端部キャップ３５が小口からずれ難いため、意匠性が良い。
ネジ受け部材３３は、転倒防止部５９を有し、ネジ受け部材３３が室外側に向かって傾こうとすると、雨切本体３１の室外側壁に転倒防止部５９の先端が当接して、ネジ受け部材３３が傾くことを防止できる。
ネジ受け部材３３は、押出形材であるため、タッピングホール６７の位置精度が高く、端部キャップ３５が小口からずれ難いため、意匠性が良い。
雨切本体３１の中空内にタッピングホールを形成する必要がないため、タッピングホールに要する材料及びコストを削減できる。
端部キャップ３５は、ネジ受け部材３３のタッピングホール６７と、雨切本体３１のタッピングホール７１に、合計２つのネジ７３で固定してあるので、１つのネジで固定した場合と比較して、端部キャップ３５が回転して小口からずれるのを防止できる。
【００１９】
本発明は、上述した実施の形態に限らず、本発明の要旨を逸脱しない範囲で種々変形可能である。
例えば、建築部材を笠木や桟材とし、建材をその笠木や桟材を用いた手摺にしてもよく、建築部材を柱や梁や垂木や桁とし、建材をその柱や梁や垂木や桁を用いたテラスやカーポートにしてもよい。
建築部材を笠木とし、建材を手摺とした場合には、中空部材である笠木の端部の中空内にネジ受け部材を取付け、笠木の端部に端部キャップをネジ受け部材のタッピングホールにネジ止めしてもよい。また、建築部材を梁とし、建材をカーポートとした場合には、中空部材である梁の端部の中空内にネジ受け部材を取付け、梁の端部に端部キャップをネジ受け部材のタッピングホールにネジ止めしてもよい。
ネジ受け部材３３は、略コの字状に限らず、雨切本体の中空形状に対応にさせるように把持部５７を湾曲させてもよいし、全体として略台形や略三角形として良く、形状は限定されない。
ネジ受け部材３３は、タッピングホール６７を把持部５７の室外側に形成したり、室外側と室内側とに合計２つのタッピングホール６７を形成してもよく、転倒防止部５９にタッピングホールを形成してもよく、タッピングホール６７の位置や数は限定されない。
【符号の説明】
【００２０】
１      連窓サッシ（建材）
２５    雨切（建築部材）
３１    雨切本体（中空部材）
３３    ネジ受け部材
３５    端部キャップ（塞ぎ材）
６７    タッピングホール
【図１】
2019019497.tif 000003
【図２】
2019019497.tif 000004
【図３】
2019019497.tif 000005
【図４】
2019019497.tif 000006
【図５】
2019019497.tif 000007
【図６】
2019019497.tif 000008
【図７】
2019019497.tif 000009
【図８】
2019019497.tif 000010